(57)【要約】【課題】健康診断の総合的な判定を迅速に行う。【解決手段】健康情報管理装置（サーバ）は、健康診断の受診者受診者ごとの健診結果を示す健診結果データを記憶する健診結果データベースと、受診者の健康に関連する情報を示す属性データを記憶する属性データベースと、健診結果データベース及び属性データベースにアクセス可能なサーバと、を含んで構成される。健康情報管理装置は、健診機関によって作成される健診結果データをクライアント装置経由で受け付け、当該健診結果データを健診結果データベースに記録する。そして、健康情報管理装置は、健診結果を出力する受診者の識別子の入力をクライアント装置経由で受け付け、当該受診者に対する健診結果データ及び属性データを健診結果データベース及び属性データベースから取得して出力する。【選択図】    図１
2007047979.tif 000002
【特許請求の範囲】
【請求項１】
健康診断の受診者を識別する受診者識別子と、前記受診者ごとの健診結果とを含んで構成される健診結果データを記憶する健診結果記憶部と、
前記受診者識別子と、前記受診者の健康に関連する情報とを含んで構成される属性データを記憶する属性記憶部と、
前記健診結果記憶部に記憶されている前記健診結果データと、前記属性記憶部に記憶されている前記属性データとを前記受診者ごとに対応付けて出力する健診結果出力部と、
を備えることを特徴とする健康情報管理装置。
【請求項２】
請求項１に記載の健康管理支援システムであって、
前記健診結果出力部は、
健診結果を出力すべき前記受診者の前記受診者識別子の入力を受け付け、当該受診者識別子に対応する前記健診結果データ及び前記属性データを前記健診結果記憶部及び前記属性記憶部から取得して出力することを特徴とする健康情報管理装置。
【請求項３】
請求項１又は２に記載の健康情報管理装置であって、
前記健診結果データの入力を受け付け、当該健診結果データを前記健診結果記憶部に記録する健診結果登録部を更に備えることを特徴とする健康情報管理装置。
【請求項４】
請求項１〜３の何れか一項に記載の健康情報管理装置であって、
前記健診結果記憶部には、前記受診者に対する前記健診結果データが時系列的に記憶されており、
前記健診結果出力部は、
前記受信者に対する複数の前記健診結果データを前記健診結果記憶部から取得して時系列的に出力することを特徴とする健康情報管理装置。
【請求項５】
請求項１〜４の何れか一項に記載の健康情報管理装置であって、
前記受診者の前記健診結果データ及び前記属性データに基づいた所見を示す所見データの入力を受け付け、当該所見データを当該健診結果データと対応付けて前記健診結果記憶部に記録する所見登録部と、
前記健診結果記憶部に記憶されている前記健診結果データと、当該健診結果データに対応する前記所見データとを、前記受診者ごとに対応付けて出力する健診通知出力部と、
を更に備えることを特徴とする健康情報管理装置。
【請求項６】
請求項５に記載の健康情報管理装置であって、
前記所見登録部が受け付ける前記所見データは、非定型なデータであることを特徴とする健康情報管理装置。
【請求項７】
請求項５又は６に記載の健康情報管理装置であって、
前記健診通知出力部は、
健診通知を出力すべき前記受診者の前記受診者識別子の入力を受け付け、当該受診者識別子に対応する前記健診結果データ及び前記所見データを前記健診結果記憶部から取得して出力することを特徴とする健康情報管理装置。
【請求項８】
請求項１〜７の何れか一項に記載の健康情報管理装置であって、
前記健診結果データ及び前記属性データを構成する項目の中から選択される一又は複数の項目と、当該選択された項目に対する条件との入力を受け付け、当該選択された項目が当該条件に合致する前記健診結果データ及び前記属性データを前記健診結果記憶部及び前記属性記憶部から抽出し、当該条件に合致する前記受診者に関する情報を出力する検索部を更に備えることを特徴とする健康情報管理装置。
【請求項９】
健康診断の受診者を識別する受診者識別子と、前記受診者ごとの健診結果とを含んで構成される健診結果データを記憶し、
前記受診者識別子と、前記受診者の健康に関連する情報とを含んで構成される属性データを記憶し、
前記健診結果データと、前記属性データとを前記受診者ごとに対応付けて出力すること、
を特徴とする健康情報管理装置の制御方法。
【請求項１０】
請求項９に記載の健康情報管理装置の制御方法であって、
前記受診者に対する前記健診結果データを時系列的に記憶し、
前記受診者に対する前記健診結果データ及び前記属性データを出力する際に、前記受信者に対する前記健診結果データを時系列的に出力すること、
を特徴とする健康情報管理装置の制御方法。
【請求項１１】
請求項９又は１０に記載の健康情報管理装置の制御方法であって、
前記受診者の前記健診結果データ及び前記属性データに基づいた所見を示す所見データを当該健診結果データと対応付けて記憶し、
前記健診結果データと、当該健診結果データに対応する前記所見データとを、前記受診者ごとに対応付けて出力すること、
を特徴とする健康情報管理装置の制御方法。
【請求項１２】
請求項１１に記載の健康情報管理装置の制御方法であって、
前記所見データは、非定型なデータであることを特徴とする健康情報管理装置の制御方法。
【請求項１３】
請求項１１又は１２に記載の健康情報管理装置の制御方法であって、
健診通知を出力すべき前記受診者の前記受診者識別子の入力を受け付け、当該受診者識別子に対応する前記健診結果データ及び前記所見データを出力すること、
を特徴とする健康情報管理装置の制御方法。
【請求項１４】
健康診断の受診者を識別する受診者識別子と、前記受診者ごとの健診結果とを含んで構成される健診結果データを記憶する健診結果記憶部と、
前記受診者識別子と、前記受診者の健康に関連する情報とを含んで構成される属性データを記憶する属性記憶部と、
を備える健康情報管理装置に、
前記健診結果データの入力を受け付け、当該健診結果データを前記健診結果記憶部に記録する手順と、
健診結果を出力すべき前記受診者の前記受診者識別子の入力を受け付け、当該受診者識別子に対応する前記健診結果データ及び前記属性データを前記健診結果記憶部及び前記属性記憶部から取得して出力する手順と、
を実行させるプログラム。
【請求項１５】
請求項１４に記載のプログラムであって、
前記健診結果データを前記健診結果記憶部に記録する前記手順は、前記健診結果データを前記健診結果記憶部に時系列的に記録する手順であり、
前記健診結果データ及び前記属性データを出力する前記手順は、前記受信者に対する複数の前記健診結果データを前記健診結果記憶部から取得して時系列的に出力する手順であること、
を特徴とするプログラム。
【請求項１６】
請求項１４又は１５に記載のプログラムであって、
前記健康情報管理装置に、
前記受診者の前記健診結果データ及び前記属性データに基づいた所見を示す所見データの入力を受け付け、当該所見データを当該健診結果データと対応付けて前記健診結果記憶部に記録する手順と、
前記健診結果記憶部に記憶されている前記健診結果データと、当該健診結果データに対応する前記所見データとを、前記受診者ごとに対応付けて出力する手順と、
を更に実行させるプログラム。
【請求項１７】
請求項１６に記載のプログラムであって、
前記健康情報管理装置が受け付ける前記所見データは、非定型なデータであることを特徴とするプログラム。
【請求項１８】
請求項１６又は１７に記載のプログラムであって、
前記健診結果データ及び前記所見データを出力する前記手順は、
健診通知を出力すべき前記受診者の前記受診者識別子の入力を受け付け、当該受診者識別子に対応する前記健診結果データ及び前記所見データを前記健診結果記憶部から取得して出力する手順であること、
を特徴とするプログラム。
【発明の詳細な説明】
【技術分野】
【０００１】
本発明は、企業等において定期的に実施される健康診断において、健診機関から提供される健診結果と、受診者の既往歴等の健康に関する情報とに基づいて、健康診断の総合的な判定を行うための健康情報管理装置、健康情報管理装置の制御方法、及びプログラムに関する。
【背景技術】
【０００２】
企業においては、社員に対する健康診断が定期的に実施されている。このような健康診断は、健康診断を専門とする外部の健診機関に委託されて行われることが多い。そして、受診者ごとの健診結果が健診機関から企業に送付されると、この健診結果等に基づいて、受診者に対する健康診断の総合的な判定が産業医等によって行われる。
【０００３】
近年、健診機関は健診結果を示す健診結果データを作成し、当該健診結果データを企業に送付することを一般的に行っている。そして、企業においては、複数の健診機関から送付された健診結果データを取り込み、健康診断に関する様々な業務を効率化するための情報処理システムが構築されている。
【０００４】
例えば、特許文献１においては、健診結果データをデータベースに登録し、健診結果と所定の閾値とを比較することによって有所見者を抽出し、当該有所見者に関する最新及び過去の健診結果を表示し、対話方式によって有所見者として確定する健康管理支援システムが開示されている。
【特許文献１】特開２００４−２６５３０７号公報
【発明の開示】
【発明が解決しようとする課題】
【０００５】
ところで、産業医による健康診断の総合的な判定は、健診機関から送付された健診結果の他に、受診者や家族の病歴、受診者の生活状況等、受診者の健康に関する様々な情報に基づいて行われる必要がある。
【０００６】
ところが、特許文献１に示されるような情報処理システムにおいては、健診機関から送付された健診結果は登録されているものの、前述したような受診者の健康に関する様々な情報は登録されていない。したがって、健康診断の総合的な判定をする際に、産業医は、健診結果が登録された情報処理システムを用いるだけでなく、別途管理されている受診者の健康に関する情報を参照したり、受診者と面談してこれらの情報を聴き出したりする必要がある。そのため、健康診断の総合的な判定を迅速に行うことができないという課題があった。
【０００７】
本発明はかかる課題に鑑みてなされたものであり、健康診断の総合的な判定を迅速に行うための健康情報管理装置、健康情報管理装置の制御方法、及びプログラムを提供することを目的とする。
【課題を解決するための手段】
【０００８】
上記目的を達成するための、本発明の健康情報管理装置は、健康診断の受診者を識別する受診者識別子と、前記受診者ごとの健診結果とを含んで構成される健診結果データを記憶する健診結果記憶部と、前記受診者識別子と、前記受診者の健康に関連する情報とを含んで構成される属性データを記憶する属性記憶部と、前記健診結果記憶部に記憶されている前記健診結果データと、前記属性記憶部に記憶されている前記属性データとを前記受診者ごとに対応付けて出力する健診結果出力部と、を備えることとする。
【０００９】
ここで、健診結果データとは、健康診断を実施する健診機関によって作成されたものである。また、属性データにおける受診者の健康に関する情報とは、例えば、受診者や家族の病歴、受診者の生活状況等、受診者の健康状態を判定する材料となり得る情報である。なお、当該属性データには、健康診断に際して行われた問診の結果も含まれる。
【００１０】
そして、健診結果データと属性データとが受診者ごとに対応付けられて、画面や帳票に出力される。このように健診結果データと属性データとが対応付けられて出力されることにより、産業医は、別の情報処理システムの利用や別途管理されている情報の参照、受診者に対する面談等を行うことなく、健康診断の総合的な判定を迅速に行うことができる。また、健診結果データ及び属性データに基づいて、受診者に対して適切な保健指導を行うことも可能である。
【００１１】
また、前記健診結果出力部は、健診結果を出力すべき前記受診者の前記受診者識別子の入力を受け付け、当該受診者識別子に対応する前記健診結果データ及び前記属性データを前記健診結果記憶部及び前記属性記憶部から取得して出力することとしてもよい。
【００１２】
これにより、ある受診者の健診結果データ及び属性データを迅速に得ることができる。そのため、ある受診者に対して健康診断の総合的な判定や保健指導を行いたい場合に、例えば、全受診者の健診結果データ及び属性データが印刷された帳票から当該受診者に対するものを探し出す必要がなく、健康診断の総合的な判定や保健指導を効率的に行うことが可能となる。
【００１３】
また、前記健康情報管理装置は、前記健診結果データの入力を受け付け、当該健診結果データを前記健診結果記憶部に記録する健診結果登録部を更に備えることとしてもよい。
【００１４】
健診機関による健診結果をシステムに手入力することも可能であるが、その場合、全受診者の健診結果の入力に時間がかかり、入力が完了するまで健康診断の総合的な判定を行うことができないこととなる。そこで、健診機関によって作成される健診結果データを取り込むことにより、健診結果がシステムに反映される時間が大幅に短縮され、健康診断の総合的な判定を開始するまでの待ち時間を削減することが可能となる。
【００１５】
なお、健診結果データは、ＣＤ−ＲＯＭやフレキシブルディスク等に記録されているものを読み取ることとしてもよいし、健診機関からネットワークを介して送信されることとしてもよい。
【００１６】
また、前記健診結果記憶部には、前記受診者に対する前記健診結果データが時系列的に記憶されており、前記健診結果出力部は、前記受信者に対する複数の前記健診結果データを前記健診結果記憶部から取得して時系列的に出力することとしてもよい。
【００１７】
このように、受診者に対する健診結果データが時系列的に出力されることにより、過去の健診結果も考慮した上で、健康診断の総合的な判定を迅速に行うことが可能となる。また、受診者に対する保健指導を更に適切なものとすることができる。
【００１８】
また、前記健康情報管理装置は、前記受診者の前記健診結果データ及び前記属性データに基づいた所見を示す所見データの入力を受け付け、当該所見データを当該健診結果データと対応付けて前記健診結果記憶部に記録する所見登録部と、前記健診結果記憶部に記憶されている前記健診結果データと、当該健診結果データに対応する前記所見データとを、前記受診者ごとに対応付けて出力する健診通知出力部と、を更に備えることとしてもよい。
【００１９】
産業医は、健診結果データ及び属性データに基づいた健康診断の総合的な判定の結果として、受診者に対する所見を示す所見データを本システムに入力することができる。そして、健診結果データ及び所見データを受診者ごとに、例えば健診結果の通知書として出力することが可能である。つまり、本システムによれば、健診結果データ及び属性データに基づいた適切な所見が示された通知書を受診者に提供することができる。
【００２０】
そして、前記所見登録部が受け付ける前記所見データは、非定型なデータであることとすることができる。このように、非定型な所見データを入力可能とすることにより、各受診者に対して、受診者に応じた適切な所見を示すことが可能となる。
【００２１】
また、前記健診通知出力部は、健診通知を出力すべき前記受診者の前記受診者識別子の入力を受け付け、当該受診者識別子に対応する前記健診結果データ及び前記所見データを前記健診結果記憶部から取得して出力することとしてもよい。これにより、ある受診者に対する健診結果の通知書等を迅速に出力することができる。
【００２２】
また、前記健康情報管理装置は、前記健診結果データ及び前記属性データを構成する項目の中から選択される一又は複数の項目と、当該選択された項目に対する条件との入力を受け付け、当該選択された項目が当該条件に合致する前記健診結果データ及び前記属性データを前記健診結果記憶部及び前記属性記憶部から抽出し、当該条件に合致する前記受診者に関する情報を出力する検索部を更に備えることとしてもよい。
【００２３】
これにより、健診結果データ及び属性データに含まれる任意の項目について、その項目の条件に合致する受診者に関する情報を画面や帳票に出力することが可能となる。したがって、受診者に対する適切な保健指導が可能となる。例えば、肝機能に関するある数値が所定の値を超えている受診者を抽出し、抽出された受診者に対して飲酒を控えるように指導をすることも可能である。
【００２４】
また、本発明の健康情報管理装置の制御方法は、健康診断の受診者を識別する受診者識別子と、前記受診者ごとの健診結果とを含んで構成される健診結果データを記憶し、前記受診者識別子と、前記受診者の健康に関連する情報とを含んで構成される属性データを記憶し、前記健診結果データと、前記属性データとを前記受診者ごとに対応付けて出力することとする。
【００２５】
また、前記受診者に対する前記健診結果データを時系列的に記憶し、前記受診者に対する前記健診結果データ及び前記属性データを出力する際に、前記受信者に対する前記健診結果データを時系列的に出力することとしてもよい。
【００２６】
また、前記受診者の前記健診結果データ及び前記属性データに基づいた所見を示す所見データを当該健診結果データと対応付けて記憶し、前記健診結果データと、当該健診結果データに対応する前記所見データとを、前記受診者ごとに対応付けて出力することとしてもよい。  
そして、前記所見データは、非定型なデータであることとすることができる。
【００２７】
また、健診通知を出力すべき前記受診者の前記受診者識別子の入力を受け付け、当該受診者識別子に対応する前記健診結果データ及び前記所見データを出力することとしてもよい。
【００２８】
また、本発明のプログラムは、健康診断の受診者を識別する受診者識別子と、前記受診者ごとの健診結果とを含んで構成される健診結果データを記憶する健診結果記憶部と、前記受診者識別子と、前記受診者の健康に関連する情報とを含んで構成される属性データを記憶する属性記憶部と、を備える健康情報管理装置に、前記健診結果データの入力を受け付け、当該健診結果データを前記健診結果記憶部に記録する手順と、健診結果を出力すべき前記受診者の前記受診者識別子の入力を受け付け、当該受診者識別子に対応する前記健診結果データ及び前記属性データを前記健診結果記憶部及び前記属性記憶部から取得して出力する手順と、を実行させるものとする。
【００２９】
また、前記健診結果データを前記健診結果記憶部に記録する前記手順は、前記健診結果データを前記健診結果記憶部に時系列的に記録する手順であり、前記健診結果データ及び前記属性データを出力する前記手順は、前記受信者に対する複数の前記健診結果データを前記健診結果記憶部から取得して時系列的に出力する手順であることとしてもよい。
【００３０】
また、前記プログラムは、前記健康情報管理装置に、前記受診者の前記健診結果データ及び前記属性データに基づいた所見を示す所見データの入力を受け付け、当該所見データを当該健診結果データと対応付けて前記健診結果記憶部に記録する手順と、前記健診結果記憶部に記憶されている前記健診結果データと、当該健診結果データに対応する前記所見データとを、前記受診者ごとに対応付けて出力する手順と、を更に実行させるものとすることができる。
【００３１】
そして、前記健康情報管理装置が受け付ける前記所見データは、非定型なデータであることとすることができる。
【００３２】
また、前記健診結果データ及び前記所見データを出力する前記手順は、健診通知を出力すべき前記受診者の前記受診者識別子の入力を受け付け、当該受診者識別子に対応する前記健診結果データ及び前記所見データを前記健診結果記憶部から取得して出力する手順であることとすることができる。
【発明の効果】
【００３３】
本発明によれば、健康診断の総合的な判定を迅速に行うことができる。
【発明を実施するための最良の形態】
【００３４】
＝＝システム構成＝＝
図１は、本発明の一実施形態である健康情報管理システム１の構成を示す図である。健康情報管理システム１は、サーバ２、クライアント装置３、及びプリンタ４を含んで構成されている。
【００３５】
サーバ２は、ＰＣサーバやワークステーション等の情報処理装置であり、クライアント装置３及びプリンタ４と、ＬＡＮ（Local Area Network）等のネットワーク５を介して通信可能に接続されている。また、サーバ２上には、健診結果データベース１１、問診結果データベース１２、及び属性データベース１３が構築されている。
【００３６】
健診結果データベース１１には、健康診断における受診者ごとの健診結果が記憶されている。また、問診結果データベース１２には、健康診断に際して受診者に対して行われた問診の結果が記憶され、属性データベース１３には、受診者の病歴、受診者の家族の病歴、生活状況等、受診者の健康に関連する情報が記憶されている。
【００３７】
クライアント装置３は、パーソナルコンピュータやＰＤＡ（Personal Digital Assistants）等の情報処理装置であり、各種入力の受け付けや、各種情報の表示等が行われる。本実施形態においては、健診機関によって作成された健診結果を示す健診結果データ１５は、クライアント装置３を介してサーバ２に送信される。そして、サーバ２は、当該健診結果データ１５を健診結果データベース１１に登録する。
【００３８】
そして、サーバ２は、健康情報管理システム１を利用する産業医等からの要求をクライアント装置３経由で受け付け、当該要求に応じて、受診者に関する様々な情報をクライアント装置３に表示したり、各種帳票をプリンタ４に出力したりすることができる。そして、産業医等は、クライアント装置３に表示された情報やプリンタ４に出力された帳票に基づいて、健康診断の総合的な判定や、受診者に対する保健指導等を行うことができる。
【００３９】
ここで、サーバ２は本発明の健康情報管理装置に相当し、健診結果データベース１１は本発明の健診結果記憶部に相当し、問診結果データベース１２及び属性データベース１３は本発明の属性記憶部に相当する。なお、本実施形態においては、各データベース１１〜１３がサーバ２上に構築されていることとしたが、サーバ２からアクセス可能なデータベースサーバ等に構築されていることとしてもよい。また、サーバ２及びクライアント装置３によるクライアントサーバ方式ではなく、１台のコンピュータによるスタンドアロン方式によって健康情報管理システムを構築することとしてもよい。
【００４０】
＝＝ハードウェア構成＝＝
図２は、サーバ２のハードウェア構成を示す図である。サーバ２は、ＣＰＵ２１、メモリ２２、記憶装置２３、通信インタフェース２４、及び記録媒体読取装置２５を含んで構成される。
【００４１】
ＣＰＵ２１は、メモリ２２に記憶されているプログラムを実行することにより、サーバ２全体の制御を行うものである。メモリ２２は、例えば、ＲＡＭ（Random Access Memory）等の読み書き可能なメモリであり、ＣＰＵ２１が実行するプログラムや一時的なデータの格納領域として使用される。記憶装置２３は、例えば、ハードディスクドライブ等であり、プログラムや各種データの格納領域として使用される。そして、ＣＰＵ２１がプログラムを実行する際には、記憶装置２３に格納されたプログラムがメモリ２２に順次格納される。また、本実施形態においては、記憶装置２３上に各データベース１１〜１３が構築されている。
【００４２】
通信インタフェース２４は、ネットワーク５を介してクライアント装置３及びプリンタ４とデータの送受信を行うためのインタフェースである。記録媒体読取装置２５は、例えば、ＣＤ−ＲＯＭ等の記録媒体２６に記録されているプログラムを読み取り、読み取ったプログラムを記憶装置２３に格納することができる。
【００４３】
＝＝データベース構成＝＝
次に、各データベース１１〜１３及び健診結果データ１５の構成について説明する。図３は、属性データベース１３の構成の一例を示す図である。属性データベース１３は、受診者の社員コード（受診者識別子）、受診者の基本情報、病歴・検査歴に関する情報、家族歴に関する情報等の項目を含んで構成されている。基本情報とは、例えば、受診者の氏名や所属、生年月日等の基本的な情報である。病歴・検査歴に関する情報とは、受診者の病歴及び病気を患っていた期間等の情報である。そして、家族歴に関する情報とは、受診者の父母、祖父母等の家族の病歴、その家族の現在の健康状態等の情報である。このように、属性データベース１３には、受診者の氏名等の基本的な属性に加えて、受診者及び家族の病歴等、受診者の健康に関連する情報が登録されている。
【００４４】
図４は、問診結果データベース１２の構成の一例を示す図である。問診結果データベース１２は、受診者の社員コード、法定健康診断であるか一般健康診断であるかを示す健診区分、健康診断の実施年月、家族歴、既往歴等の項目を含んで構成されている。問診結果データベース１２に登録される家族歴や既往歴は、予め定められた問診事項に従って登録されるものである。
【００４５】
なお、本実施形態においては、属性データベース１３に登録されているデータと、問診結果データベース１２に登録されているデータとを合わせて、属性データと称することとする。
【００４６】
図５は、健診結果データ１５の構成の一例を示す図である。健診結果データ１５は、社員コード、健診区分、実施年月、及び各種の健診結果を示す項目を含んで構成されている。健診結果を示す項目とは、身長や体重等の計測に関する項目、視力や眼圧等の眼科系の項目、ＧＯＴやＧＰＴ等の肝機能に関する項目等である。
【００４７】
図６は、健診結果データベース１１の構成の一例を示す図である。健診結果データベース１１は、健診結果データ１５に加え、健診結果データ１５に対応する産業医による所見を示すデータ（所見データ）を含んで構成されている。
【００４８】
なお、本実施形態における所見データには、要再検査を示す“１”、要経過観察を示す“３”等のような定められたコードのみでなく、産業医等によって自由に入力される非定型の文章等も含まれる。また、健診結果データベース１１には、直近の健康診断についての健診結果のみでなく、例えば過去５年間に行われた健康診断の健診結果が時系列的に記憶されている。
【００４９】
なお、健診機関から送付された健診結果データ１５に含まれる全ての項目ではなく、そのうちの必要な項目のみが健診結果データベース１１に登録されることとしてもよい。また、健診結果データ１５が健診結果データベース１１に登録される際には、項目の並び等が適宜変更されることとしてもよい。
【００５０】
＝＝機能構成＝＝
次に、サーバ２が備える機能について説明する。図７は、サーバ２が備える機能の構成を示す図である。サーバ２は、健診結果登録部３１、健診結果出力部３２、所見登録部３３、健診通知出力部３４、及び検索部３５を備えている。これらの各部３１〜３５は、ＣＰＵ２１がメモリ２２に格納されたプログラムを実行することにより実現される。
【００５１】
健診結果登録部３１は、健診機関から送付された健診結果データ１５の入力をクライアント装置３経由で受け付け、当該健診結果データ１５を健診結果データベース１１に登録する。なお、サーバ２が健診機関の情報処理システムと専用線やインターネット等により通信可能に接続されている場合には、健診機関の情報処理システムから送信されてくる健診結果データ１５を受信して、当該健診結果データ１５を健診結果データベース１１に登録することも可能である。
【００５２】
健診結果出力部３２は、健診結果の出力対象である受診者の社員コードの入力をクライアント装置３経由で受け付け、当該社員コードに対応する健診結果データ及び属性データをデータベース１１〜１３から取得する。そして、健診結果出力部３２は、当該取得したデータに基づいて、クライアント装置３の画面に健診結果等を表示したり、プリンタ４に各種帳票を出力したりする。なお、健診結果出力部３２は、健診結果の出力対象である受診者の社員コードの入力を受け付けずに、例えば、全受診者の健診結果を一括して出力することも可能である。
【００５３】
所見登録部３３は、受診者の健診結果データ及び属性データに基づいた産業医等による所見を示す所見データの入力をクライアント装置３経由で受け付け、当該所見データを健診結果データ１５と対応付けて健診結果データベース１１に登録する。
【００５４】
健診通知出力部３４は、健診結果及び産業医等の所見等を受診者に通知するための健診通知（健康診断結果通知書等）の出力を行う。健診通知出力部３４は、健診通知の出力対象である受診者の社員コードの入力をクライアント装置３経由で受け付け、当該社員コードに対応する健診結果データ１５及び所見データを健診結果データベース１１から取得する。そして、健診通知出力部３４は、当該取得したデータに基づいて、健康診断結果通知書をプリンタ４に出力する。なお、健診通知出力部３４は、健診通知の出力対象である受診者の社員コードの入力を受け付けずに、例えば、全受診者の健診通知を一括して出力することとも可能である。
【００５５】
検索部３５は、各データベース１１〜１３に対する検索条件の入力をクライアント装置３経由で受け付け、検索条件に合致するデータを各データベース１１〜１３から抽出し、その結果をクライアント装置３に出力する。
【００５６】
＝＝処理説明＝＝
次に、クライアント装置３に表示される画面に基づいて、健康情報管理システム１において実行される処理の説明を行う。図８は、本システム１のメニュー画面４１を示す図である。本画面４１には、受診者を特定するための情報を入力する入力エリア４２、特定された受診者に関する情報の登録等の処理を行うためのボタン４３〜４５と、その他の処理を行うためのボタン４６〜４９が設けられている。なお、本画面４１も含め、クライアント装置３に表示される画面は、サーバ２から送信されるＨＴＭＬ形式等のデータに基づいて表示されることとしてもよいし、クライアント装置３で実行されるプログラムによって表示されることとしてもよい。また、画面に表示されるボタンは、マウスや画面タッチキー、キーボード等からの入力を受け付けるためのユーザインタフェースである。
【００５７】
図９は、社員属性登録・変更画面５１を示す図である。本画面５１は、メニュー画面４１のボタン４３が押下されることにより表示される。本画面５１は、社員（受診者）に対する様々な情報を登録するための画面であり、登録する情報の種類を選択するタブ５２〜５４が設けられている。例えば、タブ５２が選択されると、画面５１には氏名や生年月日の入力エリア５５，５６、所属の選択リスト５７等が表示される。また、タブ５３が選択されると、社員の病歴や検査歴に関する情報を入力するための入力エリア等が表示され、タブ５４が選択されると、社員の家族の病歴に関する情報を入力するための入力エリア等が表示される。
【００５８】
そして、各種情報の入力完了後に登録ボタン５８が押下されると、入力されたデータの内容が、クライアント装置３からサーバ２に送信される。そして、サーバ２は、クライアント装置３において入力されたデータを受信すると、当該データを属性データベース１３に登録する。
【００５９】
図１０は、問診票登録・変更画面６１を示す図である。本画面６１は、メニュー画面４１のボタン４４が押下されることにより表示される。本画面６１は、健康診断の際に行われる問診結果を登録するための画面であり、問診の種類を選択するタブ６２〜６９が設けられている。例えば、タブ６２が選択されると、画面６１には家族の病歴に関する問診事項が表示される。そして、例えば、悪性腫瘍を患った家族がいない場合には、悪性腫瘍の項目に対する「なし」ボタン７０が押下され、祖父母が高血圧を患っている場合には、高血圧の項目に対する「祖父母」ボタン７１が押下される。
【００６０】
また、タブ６３が選択されると、画面６１には受診者の病歴を選択するためのボタン等が表示され、タブ６４が選択されると、受診者の仕事内容を入力するためのボタン等が表示される。同様に、タブ６５〜６９が選択されると、受診者の生活状況、嗜好品、運動、食事、自覚症状を入力するためのボタン等が表示される。
【００６１】
そして、各種情報の入力完了後に登録ボタン７２が押下されると、入力されたデータが、クライアント装置３からサーバ２に送信される。そして、サーバ２は、クライアント装置３において入力されたデータを受信すると、当該データを問診結果データベース１２に登録する。
【００６２】
図１１は、データ取り込み画面８１を示す図である。本画面８１は、メニュー画面４１のボタン４７が押下されることにより表示される。本画面８１は、健診機関から送付された健診結果データ１５を取り込むための画面である。画面８１には、健康診断が実施された年月の入力エリア８２、データ種別の選択エリア８３、健診結果データ１５のファイル名の入力エリア８４が設けられている。選択エリア８３では、健診機関（Ａ病院、Ｂ病院等）の選択、及び、データの種類の選択をすることができる。本実施形態においては、健診結果データ１５の他に、問診情報を示すデータ、及び、人間ドックの受診情報を示すデータを取り込むことも可能であり、選択エリア８３において、取り込むデータの種類が選択される。
【００６３】
入力エリア８４には、取り込み対象の健診結果データ１５のパスを含んだファイル名が入力される。そして、取込開始ボタン８５が押下されると、入力エリア８４で指定された健診結果データ１５がクライアント装置３からサーバ２に送信される。そして、サーバ２の健診結果登録部３１は、当該健診結果データ１５を受信すると、当該データを健診結果データベース１１に登録する。
【００６４】
図１２は、健診結果登録・変更画面９１を示す図である。本画面９１は、メニュー画面４１のボタン４５が押下されることにより表示される。本画面９１は、主に、受診者の健診結果データ及び属性データを確認し、健康診断の総合的な判定を行うために用いられる。画面９１には、受診者の氏名、所属等を表示する表示エリア９２、健診区分及び実施年月を選択する選択エリア９３、健診結果データ１５の表示エリア９４及び属性データの表示エリア９５が設けられている。
【００６５】
本画面９１が起動されると、健診結果の出力要求がクライアント装置３からサーバ２に送信される。当該出力要求には、メニュー画面４１の入力エリア４２で入力された社員コードが含まれている。サーバ２の健診結果出力部３２は、当該出力要求を受け付けると、各データベース１１〜１３から当該社員コードに対応する健診結果データ１５及び属性データを取得し、クライアント装置３に送信する。
【００６６】
本画面９１の選択エリア９３には、サーバ２から送信されてきた健診結果データに含まれる直近の健康診断の健診区分及び実施年月が表示される。そして、表示エリア９４には、選択エリア９３で選択された健康診断における健診結果データ１５と、その前回の健康診断における健診結果データ１５とが表示される。また、表示エリア９５には、属性データベース１３から取得された各種情報、及び、選択エリア９３で選択された健康診断における問診情報が表示される。なお、選択エリア９３の健診区分や実施年月が変更されると、その内容に応じて表示エリア９４，９５の表示内容が切り替えられる。
【００６７】
そして、例えば、表示された健診結果データ１５のある項目に懸念点がある場合等には、その項目を選択することにより、過去数回の健康診断におけるその項目の推移を確認することができる。例えば、表示エリア９４のγ−ＧＴＰの数値が表示された箇所９６をクリックすると、図１３に示すように、肝機能に関する項目の過去５回の健康診断での数値を示す画面９７が表示される。このように、サーバ２の健診結果出力部３２は、受信者に対する複数の健診結果データ１５を健診結果データベース１１から取得してクライアント装置３に時系列的に表示することができる。そして、産業医等は、画面９１，９７に表示された情報に基づいて、健康診断の総合的な判定を行うことができる。
【００６８】
図１４は、帳票出力画面１０１を示す図である。本画面１０１は、メニュー画面４１のボタン４６が押下されることにより表示される。本画面１０１は、各種の帳票を出力するために用いられる。画面１０１には、出力する帳票を選択する選択エリア１０２、帳票の出力条件を指定する条件指定エリア１０３が設けられている。
【００６９】
そして、帳票出力ボタン１０４が押下されると、選択された帳票及び出力条件を示すデータがクライアント装置３からサーバ２に送信される。例えば、選択エリア１０２において健康診断個人票が選択された場合、サーバ２の健診結果出力部３２は、条件指定エリア１０３で指定された条件に従って健診結果データ１５及び属性データをデータベース１１〜１３から取得し、取得した内容に基づいて健康診断個人票をプリンタ４に出力する。
【００７０】
図１５は、健康診断個人票の一例を示す図である。図に示すように、健康診断個人票には、条件指定エリア１０３で指定された健康診断の健診結果と、過去数回の健康診断の健診結果とが時系列的に出力される。また、健康診断個人票には、家族の病歴や生活状況等、属性データに関する情報も出力される。産業医等は、この健康診断個人票を用いて健康診断の総合的な判定を行うことも可能である。
【００７１】
図１６は、健康診断結果通知書出力画面１１１を示す図である。本画面１１１は、メニュー画面４１のボタン４８が押下されることにより表示される。画面１１１には、健診結果を受診者に通知するための健康診断結果通知書の出力条件を指定するための条件指定エリア１１２、産業医の所見等を入力するためのコメント入力ボタン１１３、及び当該通知書の出力を指示するための通知書出力ボタン１１４が設けられている。
【００７２】
図１７は、産業医の所見等を入力するためのコメント入力画面１２１を示す図である。本画面１２１は、健康診断結果通知書出力画面１１１のコメント入力ボタン１１３が押下されることにより表示される。画面１２１には、健康診断における診断項目ごとに、産業医の所見を入力するための入力エリア１２２が設けられている。この入力エリア１２２には、非定型の文章等を入力することが可能である。
【００７３】
そして、登録ボタン１２３が押下されると、入力された所見を示す所見データと、条件指定エリア１１２で指定された条件を示すデータとがクライアント装置３からサーバ２に送信される。サーバ２の所見登録部３３は、当該所見データ等を受信すると、指定された条件の健診結果データ１５と対応付けて当該所見データを健診結果データベース１１に登録する。
【００７４】
その後、健康診断結果通知書出力画面１１１の通知書出力ボタン１１４が押下されると、条件指定エリア１１２で指定された受診者に対する健康診断結果通知書の出力要求がクライアント装置３からサーバ２に送信される。サーバ２の健診通知出力部３４は、当該出力要求で指定される条件に基づいて、健診結果データ１５及び所見データをデータベース１１〜１３から取得し、健康診断結果通知書をプリンタ４に出力する。
【００７５】
図１８は、健康診断結果通知書の一例を示す図である。図に示すように、健康診断結果通知書には、条件指定エリア１１２で指定された健康診断の健診結果と、過去数回の健康診断の健診結果とが時系列的に出力される。また、健康診断結果通知書には、産業医によって登録された非定型の文章による所見も出力される。
【００７６】
図１９は、データベース１１〜１３の内容を検索するための汎用検索画面１３１を示す図である。本画面１３１は、メニュー画面４１のボタン４９が押下されることにより表示される。画面１３１においては、条件グループＡ、条件グループＢという２つの条件グループの検索条件を指定することが可能である。各条件グループでは、データベース１１〜１３に含まれる任意の項目に対する検索条件を複数指定することが可能である。
【００７７】
入力エリア１３２には、条件グループＡの検索条件を入力することができる。図に示した例では、“γ−ＧＴＰ＞６０”という検索条件が入力されている。なお、複数の検索条件を入力することも可能である。その場合、選択エリア１３３において、複数の検索条件を“ＡＮＤ”とするか“ＯＲ”とするかを選択することができる。
【００７８】
同様に、入力エリア１３３には、条件グループＢの検索条件を入力することができる。図に示した例では、問診項目の“飲酒頻度”が“毎日”という検索条件が入力されている。そして、選択エリア１３４において、条件グループＡの検索条件と条件グループＢの検索条件とを“ＡＮＤ”とするか“ＯＲ”とするかを選択することができる。
【００７９】
検索条件が入力された後、検索実行ボタン１３５が押下されると、入力された検索条件がクライアント装置３からサーバ２に送信される。サーバ２の検索部３５は、受信した検索条件に基づいてデータベース１１〜１３を検索し、該当する受診者の氏名等の情報をクライアント装置３に送信する。そして、結果表示ボタン１３６が押下されると、図２０に示すように、検索結果を示す画面１３７が表示される。
【００８０】
以上、本実施形態の健康情報管理システム１について説明した。前述したように、健康情報管理システム１においては、健診結果データ１５と属性データとが受診者ごとに対応付けられて、画面や帳票に出力される。このように健診結果データ１５と属性データとが対応付けられて出力されることにより、産業医は、別の情報処理システムの利用や別途管理されている情報の参照、受診者に対する面談等をすることなく、受診者の健康診断の総合的な判定を迅速に行うことができる。また、健診結果データ１５及び属性データに基づいて、受診者に対する適切な保健指導を行うことも可能である。
【００８１】
また、健康情報管理システム１においては、健診結果を出力する受診者の社員コードの入力を受け付け、当該受診者の健診結果データ１５及び属性データを迅速に得ることができる。そのため、ある受診者に対して健康診断の総合的な判定や保健指導を行いたい場合に、例えば、全受診者の健診結果データ１５及び属性データが印刷された帳票から当該受診者に対するものを探し出す必要がなく、健康診断の総合的な判定や保健指導を効率的に行うことが可能となる。
【００８２】
また、健康情報管理システム１では、健診機関によって作成された健診結果データ１５を取り込むことが可能である。これにより、健診結果がシステムに反映される時間が大幅に短縮され、健康診断の総合的な判定を開始するまでの待ち時間を削減することが可能となる。
【００８３】
また、健康情報管理システム１においては、受診者に対する健診結果データ１５を時系列的に出力することができる。これにより、直近の健診結果のみならず、過去の健診結果も考慮した上で、健康診断の総合的な判定を迅速に行うことが可能となる。また、受診者に対する保健指導を更に適切なものとすることができる。
【００８４】
そして、健康情報管理システム１においては、受診者に対する所見データが、健診結果データ１５と対応付けられて健診結果データベース１１に登録される。そして、健診結果データ１５と所見データとが受診者ごとに対応付けられて出力される。
【００８５】
つまり、産業医は、健診結果データ１５及び属性データに基づいた健康診断の総合的な判定の結果として、受診者に対する所見を示す所見データを本システム１に入力することができる。そして、健診結果データ１５及び所見データを受診者ごとに、例えば健康診断結果通知書として出力することが可能である。つまり、本システム１によれば、健診結果データ１５及び属性データに基づいた適切な所見が示された通知書を受診者に提供することができる。
【００８６】
そして、健康情報管理システム１においては、非定型な文章等を所見データとして登録することができる。このように、非定型な所見データを入力可能とすることにより、各受診者に対して、受診者に応じた適切な所見を示すことが可能となる。
【００８７】
また、健康情報管理システム１においては、健康診断結果通知書の出力対象である受診者の社員コード等の入力を受け付け、当該受診者に対する健康診断結果通知書を出力することができる。つまり、ある受診者に対する健康診断結果通知書を迅速に出力することができる。
【００８８】
また、健康情報管理システム１においては、データベース１１〜１３の任意の項目に対する検索条件の入力を受け付け、当該条件に合致する健診結果データ１５及び属性データを抽出し、当該条件に合致する受診者に関する情報を出力することができる。
【００８９】
これにより、健診結果データ１５及び属性データに含まれる任意の項目について、その項目の条件に合致する受診者を把握することができ、受診者に対する適切な保健指導が可能となる。
【００９０】
以上本発明の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００９１】
【図１】本発明の一実施形態である健康情報管理システムの構成を示す図である。
【図２】サーバのハードウェア構成を示す図である。
【図３】属性データベースの構成の一例を示す図である。
【図４】問診結果データベースの構成の一例を示す図である。
【図５】健診結果データの構成の一例を示す図である。
【図６】健診結果データベースの構成の一例を示す図である。
【図７】サーバが備える機能の構成を示す図である。
【図８】健康情報管理システムのメニュー画面を示す図である。
【図９】社員属性登録・変更画面を示す図である。
【図１０】問診票登録・変更画面を示す図である。
【図１１】データ取り込み画面を示す図である。
【図１２】健診結果登録・変更画面を示す図である。
【図１３】過去数回の健康診断における推移を示す画面の一例である。
【図１４】帳票出力画面を示す図である。
【図１５】健康診断個人票の一例を示す図である。
【図１６】健康診断結果通知書出力画面を示す図である。
【図１７】コメント入力画面を示す図である。
【図１８】健康診断結果通知書の一例を示す図である。
【図１９】データベースの内容を検索するための汎用検索画面を示す図である。
【図２０】検索結果を示す画面の一例である。
【符号の説明】
【００９２】
１    健康情報管理システム                ２    サーバ
３    クライアント装置                    ４    プリンタ
５    ネットワーク                        １１  健診結果データベース
１２  問診結果データベース                １３  属性データベース
１５  健診結果データ                      ２１  ＣＰＵ
２２  メモリ                              ２３  記憶装置
２４  通信インタフェース                  ２５  記録媒体読取装置
２６  記録媒体                            ３１  健診結果登録部
３２  健診結果出力部                      ３３  所見登録部
３４  健診通知出力部                      ３５  検索部
【図１】
2007047979.tif 000003
【図２】
2007047979.tif 000004
【図３】
2007047979.tif 000005
【図４】
2007047979.tif 000006
【図５】
2007047979.tif 000007
【図６】
2007047979.tif 000008
【図７】
2007047979.tif 000009
【図８】
2007047979.tif 000010
【図９】
2007047979.tif 000011
【図１０】
2007047979.tif 000012
【図１１】
2007047979.tif 000013
【図１２】
2007047979.tif 000014
【図１３】
2007047979.tif 000015
【図１４】
2007047979.tif 000016
【図１５】
2007047979.tif 000017
【図１６】
2007047979.tif 000018
【図１７】
2007047979.tif 000019
【図１８】
2007047979.tif 000020
【図１９】
2007047979.tif 000021
【図２０】
2007047979.tif 000022